(57)【要約】【課題】キーレスリモコンを操作してドアロックの開錠を行ったときに、車両周辺が明るい昼間等の場合には、車両に設けた照明灯を点灯させることなく非点灯状態に保持することができる車両用照明灯の制御装置を提供する。【解決手段】車両周辺の照度を検知する照度検知センサ５を備え、制御部４は、キーレス受信機２がキーレスリモコン１から送信された開錠信号を受信したときに、照度検知センサ５で検知した照度情報に基づいて車両周辺の照度が予め設定した設定照度以上の場合と判断した場合には、ルームランプ６やドアミラーランプ１１など照明灯を点灯させることなく非点灯状態に保持する。【選択図】図１
2008183978.tif 000002
【特許請求の範囲】
【請求項１】
キーレスリモコンから送信される開錠信号を受信するキーレス受信部と、前記キーレス受信部で受信した開錠信号に基づいて車両のドアロックを開錠するようにドアスイッチを制御する制御手段を有し、前記制御手段は、前記ドアロックの開錠時に車両に設けている照明灯が点灯するように制御を行う車両用照明灯の制御装置において、
車両周辺の照度を検知する照度検知手段を備え、
前記制御手段は、前記キーレス受信部が前記キーレスリモコンから送信された開錠信号を受信したときに、前記照度検知手段で検知した照度情報に基づいて車両周辺の照度が予め設定した設定照度以上であると判断した場合には、前記照明灯を点灯させることなく非点灯状態に保持するように制御する、
ことを特徴とする車両用照明灯の制御装置。
【請求項２】
前記照明灯は、複数の異なる点灯色のうちからいずれかの点灯色に切り替えて点灯可能であり、また、年月日情報を含む時間情報がのせてある標準電波を受信する標準電波受信機をさらに有し、
前記制御手段は、前記キーレス受信部が前記キーレスリモコンから送信された開錠信号を受信したときに、前記標準電波受信機で受信した標準電波から検出した月日情報に基づいて、前記複数の異なる点灯色から選択した点灯色で前記前記照明灯が点灯するように制御する、
ことを特徴とする請求項１に記載の車両用照明灯の制御装置。
【発明の詳細な説明】
【技術分野】
【０００１】
本発明は、車両に設けられているルームランプやドアミラーの下部近傍に設けたドアミラーランプなどの照明灯の点灯制御を行う車両用照明灯の制御装置に関する。
【背景技術】
【０００２】
近年、キーをドアの鍵穴に差し込まなくとも、キーレスリモコンの操作によって離れた位置からドアロックの開錠（ロック解除）および施錠を行うことができる、所謂キーレスエントリーシステムを装備した車両（自動車）が普及している。
【０００３】
このようなキーレスエントリーシステムを装備した車両（自動車）では、車両の近くでキーレスリモコンを所持した運転者などがキーレスリモコンを操作して、車両側のキーレス受信機にキーレス信号（電波）を出力してドアロックの開錠（ロック解除）を行ったときに、この開錠に連動してドアミラーの下部に設けたドアミラーランプやルームランプなどを点灯させるように制御する車両も従来から知られている（例えば、特許文献１参照）。
【特許文献１】特開２００１−２０６１３８号公報
【発明の開示】
【発明が解決しようとする課題】
【０００４】
前記特許文献１のようなキーレスエントリーシステムを装備した車両（自動車）では、キーレスリモコンを操作してドアロックの開錠を行うと、それに連動して常にドアミラーの下部に設けたドアミラーランプやルームランプなどの照明灯が点灯するため、夜間の場合はこれらの照明灯の点灯が役に立つが、昼間などの周囲が明るい場合はこれらの照明灯の点灯は無駄なバッテリー電力を消費するだけである。
【０００５】
そこで、本発明は、キーレスリモコンを操作してドアロックの開錠を行ったときに、車両周辺が明るい昼間等の場合には、車両に設けた照明灯を点灯させることなく非点灯状態に保持することができる車両用照明灯の制御装置を提供する。
【課題を解決するための手段】
【０００６】
前記目的を達成するために本発明は、キーレスリモコンから送信される開錠信号を受信するキーレス受信部と、前記キーレス受信部で受信した開錠信号に基づいて車両のドアロックを開錠するようにドアスイッチを制御する制御手段を有し、前記制御手段は、前記ドアロックの開錠時に車両に設けている照明灯が点灯するように制御を行う車両用照明灯の制御装置において、車両周辺の照度を検知する照度検知手段を備え、前記制御手段は、前記キーレス受信部が前記キーレスリモコンから送信された開錠信号を受信したときに、前記照度検知手段で検知した照度情報に基づいて車両周辺の照度が予め設定した設定照度以上であると判断した場合には、前記照明灯を点灯させることなく非点灯状態に保持するように制御することを特徴としている。
【発明の効果】
【０００７】
本発明によれば、キーレスリモコンを操作してドアロックの開錠を行ったときに、車両周辺が明るい昼間等の場合には、車両に設けた照明灯を点灯させることなく非点灯状態に保持することができるので、無駄なバッテリー電力の消費をなくすことができる。
【発明を実施するための最良の形態】
【０００８】
以下、本発明を図示の実施形態に基づいて説明する。
〈実施形態１〉
図１は、本発明の実施形態１に係る車両用照明灯の制御装置を示すブロック図である。
【０００９】
図１に示すように、本実施形態に係る車両用照明灯の制御装置は、運転者などの操作者が所持しているキーレスリモコン１から送信されるキーレス信号（開錠信号および施錠信号）を受信するキーレス受信機２と、キーレス受信機２で受信したキーレス信号に基づいて、ドアロックアクチュエータ（不図示）を有するドアスイッチ３を操作してドアロックの開錠・施錠制御を行う制御部４と、車両（自動車）周辺の照度を検知する照度検知センサ５と、制御部４からの信号に基づいて、車両に設けられている照明灯６をＯＮ（点灯）／ＯＦＦ（消灯）させるスイッチ部７を備えている。
【００１０】
照度検知センサ５は、図２に示すように、例えば車両８のフロントウインドウ上部に設置されており、車両８周辺の照度を検知する。照度検知センサ５としては、例えばフォトトランジスタを用いることができる。照明灯６は、本実施形態では車内天井に設けたルームランプ９と、ドアミラー１０の下部に設けたドアミラーランプ１１である。ドアミラーランプ１１は、車両側面付近の路面を照明する。また、キーレス受信機２、制御部４は、車両８のインストルメントパネル（不図示）内に設置されている。
【００１１】
次に、前記した本実施形態に係る車両用照明灯の制御装置による制御動作を、図３に示すフローチャートを参照して説明する。
【００１２】
先ず、ドアロックが施錠状態にある車両８内のキーレス受信機２は、開錠信号受信待機状態にあり、車両８の近くにいるキーレスリモコン１を所持した運転者などの操作者がこのキーレスリモコン１を操作して、キーレスリモコン１のアンテナ１ａから開錠信号（キーレス信号）が出力されると、車両８側のキーレス受信機２のアンテナ２ａで開錠信号を受信し（ステップＳ１：ＹＥＳ）、この受信信号が制御部４に出力される。
【００１３】
制御部４は、入力される受信信号に基づいてドアスイッチ３に開錠信号を出力することにより、ドアロックアクチュエータ（不図示）が作動してドアロック（図２のセダンタイプの車両８では、運転席側および助手席側の各ドアのドアロック）を開錠（ロック解除）する（ステップＳ２）。
【００１４】
そして、ステップＳ２でドアロックが開錠（ロック解除）されると、照度検知センサ５により車両周辺の照度を検知する（ステップＳ３）。制御部４は、照度検知センサ５から出力される検知信号に基づいて、夜間や昼間でも暗い場所などで、車両周辺の照度が予め設定している設定照度以下である場合は（ステップＳ４：ＹＥＳ）、スイッチ部７に点灯信号を出力して、照明灯６としてのルームランプ９、ドアミラーランプ１１を点灯させる（ステップＳ５）。
【００１５】
そして、制御部４は、ルームランプ９およびドアミラーランプ１１が点灯してから所定時間が経過した後にスイッチ部７に信号を出力して（ステップＳ６：ＹＥＳ）、照明灯６としてのルームランプ９およびドアミラーランプ１１を消灯させる（ステップＳ７）。
【００１６】
なお、ステップＳ６において、ルームランプ９およびドアミラーランプ１１が点灯してから所定時間が経過する前でも、キーレスリモコン１を所持した運転者（操作者）や他の人がドアを開けたときには、ドアの開に応じて出力されるドア開信号に基づいてルームランプ９およびドアミラーランプ１１が消灯される。
【００１７】
また、ステップＳ４において、昼間や夜間でも明るい場所などで、車両周辺の照度が予め設定している設定照度以上である場合は（ステップＳ４：ＮＯ）、スイッチ部７に消灯信号を出力して、照明灯６としてのルームランプ９、ドアミラーランプ１１を非点灯状態に保持する（ステップＳ８）。
【００１８】
このように、本実施形態に係る車両用照明灯の制御装置によれば、キーレスリモコン１から送信される開錠信号に基づいてドアロックが開錠されたときに、車両８周辺の照度が予め設定している設定照度以上で明るい場合には、車両８のルームランプ９およびドアミラーランプ１１を非点灯状態に保持することにより、無駄なバッテリー電力の消費をなくすことができる。
【００１９】
また、前記実施形態では、キーレスリモコンから送信される開錠信号（キーレス信号）に基づいてドアロックが開錠されたときに車両の照明灯（ルームランプ、ドアミラーランプなど）が点灯する構成であったが、運転者等がキーをドアの鍵穴に差し込んで手操作でドアロックを開錠して、ドアを開いたときに出力されるドア開信号に車両の照明灯（ルームランプ、ドアミラーランプなど）が点灯する構成の車両においても、同様に本発明を適用することができる。
【００２０】
更に、前記実施形態では、車両の照明灯がルームランプとドアミラーランプの場合であったが、車両の照明灯としては、これ以外にも例えば、ドア付近の車内側の照明するランプやワンボックス車等のラゲッジルームを照明するランプなどの場合においても、同様に本発明を適用することができる。
【００２１】
〈実施形態２〉
図４は、本発明の実施形態２に係る車両用照明灯の制御装置を示すブロック図である。
【００２２】
図４に示すように、本実施形態に係る車両用照明灯の制御装置では、年月日情報を含む時間情報がのせてある標準電波を受信する標準電波受信機１２を有しており、制御部４は、標準電波受信機１２で受信した標準電波から月日情報を検出する。標準電波受信機１２は、車両のインストルメントパネル内に設置されている。また、照明灯６としてのルームランプ９、ドアミラーランプ１１は、制御部４からの信号に基づいて、緑色、青色、黄色、白色のいずれかの点灯色に切り替えて点灯可能に構成されている。他の構成は、図１に示した実施形態１の車両用照明灯の制御装置と同様であり、重複する説明は省略する。
【００２３】
次に、本実施形態に係る車両用照明灯の制御装置による制御動作を、図５に示すフローチャートを参照して説明する。なお、本実施形態においても、ドアロックが開錠（ロック解除）されたときにおいて、制御部４は、照度検知センサ５から出力される検知信号に基づいて、車両周辺の照度が予め設定している設定照度以下で暗い場合は、照明灯６としてのルームランプ９、ドアミラーランプ１１が点灯され、車両周辺の照度が予め設定している設定照度以上で明るい場合は照明灯６としてのルームランプ９、ドアミラーランプ１１が非点灯状態に保持される。
【００２４】
以下の説明では、キーレスリモコン１から送信される開錠信号（キーレス信号）に基づいてドアロックが開錠されたときに、車両周辺の照度が予め設定している設定照度以下で暗い状況で、照明灯６としてのルームランプ９、ドアミラーランプ１１が点灯される場合である。
【００２５】
先ず、ドアロックが施錠状態にある車両内のキーレス受信機２は、開錠信号受信待機状態にあり、車両の近くにいるキーレスリモコン１を所持した運転者などの操作者がこのキーレスリモコン１を操作して、キーレスリモコン１のアンテナ１ａから開錠信号（キーレス信号）が出力されると、車両側のキーレス受信機２のアンテナ２ａで開錠信号を受信し（ステップＳ１１：ＹＥＳ）、受信信号が制御部４に出力される。
【００２６】
制御部４は、入力される受信信号に基づいてドアスイッチ３に開錠信号を出力することにより、ドアロックアクチュエータ（不図示）が作動してドアロックを開錠する（ステップＳ１２）。この際、本実施形態では、車両周辺の照度が予め設定している設定照度以下で暗い状況で、照明灯６としてのルームランプ９、ドアミラーランプ１１が点灯された場合である。
【００２７】
そして、標準電波受信機１２のアンテナ１２ａで標準電波を受信し（ステップＳ１３）、受信に成功した場合は（ステップＳ１４：ＹＥＳ）、この受信信号が制御部４に出力される。
【００２８】
そして、制御部４は、標準電波受信機１２で受信した標準電波から月日情報を検出し（ステップＳ１５）、月日情報から季節が春と判断した場合は（ステップＳ１６：ＹＥＳ）、照明灯６としてのルームランプ９、ドアミラーランプ１１の点灯色が緑色となるように制御して、ルームランプ９、ドアミラーランプ１１を緑色に点灯させる（ステップＳ１７）。
【００２９】
そして、ステップＳ１６で、月日情報から季節が春でないと判断した場合に（ステップＳ１６：ＮＯ）、ステップＳ１８で季節が夏と判断した場合は（ステップＳ１８：ＹＥＳ）、照明灯６としてのルームランプ９、ドアミラーランプ１１の点灯色が青色となるように制御して、ルームランプ９、ドアミラーランプ１１を青色に点灯させる（ステップＳ１９）。
【００３０】
そして、ステップＳ１８で、月日情報から季節が夏でないと判断した場合に（ステップＳ１６：ＮＯ）、ステップＳ２０で季節が秋と判断した場合は（ステップＳ２０：ＹＥＳ）、照明灯６としてのルームランプ９、ドアミラーランプ１１の点灯色が黄色となるように制御して、ルームランプ９、ドアミラーランプ１１を黄色に点灯させる（ステップＳ２１）。
【００３１】
そして、ステップＳ２０で、月日情報から季節が秋でないと判断した場合に（ステップＳ２０：ＮＯ）、ステップＳ２２で季節が冬と判断した場合は（ステップＳ２２：ＹＥＳ）、照明灯６としてのルームランプ９、ドアミラーランプ１１の点灯色が白色となるように制御して、ルームランプ９、ドアミラーランプ１１を白色に点灯させる（ステップＳ２２）。なお、ステップＳ２０で、月日情報から季節が冬でない判断した場合には（ステップＳ２２：ＮＯ）、再度ステップＳ１５に戻る。
【００３２】
そして、制御部４は、ステップＳ１７、Ｓ１９、Ｓ２０、Ｓ２３のいずれかで照明灯（ルームランプ９およびドアミラーランプ１１）が点灯してから所定時間が経過した後にスイッチ部７に信号を出力して（ステップＳ２４：ＹＥＳ）、照明灯６としてのルームランプ９およびドアミラーランプ１１を消灯させる（ステップＳ２５）。
【００３３】
なお、ステップＳ２４において、ルームランプ９およびドアミラーランプ１１が点灯してから所定時間が経過する前でも、キーレスリモコン１を所持した運転者（操作者）や他の人がドアを開けたときには、ドアの開に応じて出力されるドア開信号に基づいてルームランプ９およびドアミラーランプ１１が消灯される。
【００３４】
このように、本実施形態に係る車両用照明灯の制御装置によれば、ドアロックが開錠されたときに、受信した標準電波から検出した月日情報から四季（春、夏、秋、冬）を判断して、判断した四季（春、夏、秋、冬）に応じて、複数の点灯色（本実施形態では、緑色、青色、黄色、白色）から選択した点灯色で照明灯（ルームランプ９、ドアミラーランプ１１）を点灯させることができるので、ユーザがキーレスリモコンを操作してドアを開錠（ロック解除）したときの新たな楽しみを与えることができる。
【００３５】
なお、本実施形態では、春、夏、秋、冬に応じて、緑色、青色、黄色、白色から選択した点灯色で照明灯（ルームランプ９、ドアミラーランプ１１）を点灯させる構成であったが、点灯色はこれらの色に限らず、任意の複数の異なる点灯色でもよい。
【図面の簡単な説明】
【００３６】
【図１】本発明の実施形態１に係る車両用照明灯の制御装置を示すブロック図。
【図２】本発明の実施形態１に係る車両用照明灯の制御装置を備えた車両を示す側面図。
【図３】本発明の実施形態１に係る車両用照明灯の制御装置による制御動作を示すフローチャート。
【図４】本発明の実施形態２に係る車両用照明灯の制御装置を示すブロック図。
【図５】本発明の実施形態２に係る車両用照明灯の制御装置による制御動作を示すフローチャート。
【符号の説明】
【００３７】
１        キーレスリモコン
２        キーレス受信機
３        ドアスイッチ
４        制御部
５        照度検知センサ
６        照明灯
７        スイッチ部
８        車両
９        ルームランプ
１１      ドアミラーランプ
１２      標準電波受信機
【図１】
2008183978.tif 000003
【図２】
2008183978.tif 000004
【図３】
2008183978.tif 000005
【図４】
2008183978.tif 000006
【図５】
2008183978.tif 000007